(57)【要約】使用中に過度の水分にさらされるブラシ毛のための熱可塑性モノフィラメントは、少なくとも１つのポリアミド（ＰＡ）および少なくとも１つの熱可塑性ポリエステル（ＰＥ）のポリマー混合物からなり、その混合比は、ブラシ毛の用途を決定付ける技術的、機能的な特性、およびブラシ毛の機能を決定付ける使用場所での周囲条件によって選択される。【特許請求の範囲】
【請求項１】
使用中に大量の水分にさらされるブラシ毛のための熱可塑性モノフィラメントであって、前記モノフィラメントは、少なくとも１つのポリアミド（ＰＡ）および少なくとも１つの熱可塑性ポリエステル（ＰＥ）のポリマー混合物を含むことを特徴とする、モノフィラメント。
【請求項２】
混合比ＰＡ／ＰＥは、ブラシ毛の使用についての技術的、機能的な特性、およびブラシ毛の機能に影響する使用場所での周囲条件によって選択されることを特徴とする、請求項１に記載のモノフィラメント。
【請求項３】
前記混合比ＰＡ／ＰＥは、１０／９０質量％から９０／１０質量％の間であることを特徴とする、請求項１または２に記載のモノフィラメント。
【請求項４】
前記混合比ＰＡ／ＰＥは、２０／８０質量％から８０／２０質量％の間であることを特徴とする、請求項１から３のいずれかに記載のモノフィラメント。
【請求項５】
前記混合比ＰＡ／ＰＥのＰＥの部分が多いほど、ブラシ毛の断面は小さいことを特徴とする、請求項１から４のいずれかに記載のモノフィラメント。
【請求項６】
前記ブラシ毛の使用場所での水分の影響が強いほど、かつ／または持続的であるほど、前記混合比ＰＡ／ＰＥの前記ＰＥの部分が多いことを特徴とする、請求項１から５のいずれかに記載のモノフィラメント。
【請求項７】
前記熱可塑性ポリエステルは、ポリアルキレンテレフタレート（ＰＡＴ）であることを特徴とする、請求項１から６のいずれかに記載のモノフィラメント。
【請求項８】
前記熱可塑性ポリエステルは、ポリエチレンテレフタレート（ＰＥＴ）またはポリブチレンテレフタレート（ＰＢＴ）もしくはその混合物であることを特徴とする、請求項１に記載のモノフィラメント。
【請求項９】
前記ポリアミド（ＰＡ）は、高品質ポリアミドおよび低品質ポリアミドの混合物であることを特徴とする、請求項１から８のいずれかに記載のモノフィラメント。
【請求項１０】
前記混合物のポリアミド成分は、ＰＡ６．１０、ＰＡ６．１２、ＰＡ１１、ＰＡ１２のグループ、およびＰＡ６、ＰＡ６．６のグループから選択されることを特徴とする、請求項１から９のいずれかに記載のモノフィラメント。
【請求項１１】
使用中に過度の水分にさらされるブラシ毛のための少なくとも２層の同時押出し材料の形の熱可塑性モノフィラメントであって、前記同時押出し材料の少なくとも１つの層は、請求項１から１０のいずれかに記載のポリマー混合物からなることを特徴とする、モノフィラメント。
【請求項１２】
第２の層は、請求項９または１０に記載のポリアミドまたはポリアミドの混合物からなることを特徴とする、請求項１１に記載のモノフィラメント。
【請求項１３】
前記第２の層は、請求項７または８に記載の熱可塑性ポリエステルまたはそのようなポリエステルの混合物からなることを特徴とする、請求項１１に記載のモノフィラメント。
【請求項１４】
前記同時押出し材料は、芯および外被からなり、前記芯は、純粋なＰＡＴまたはポリアルキレンエステル混合物からなることを特徴とする、請求項１１から１３のいずれかに記載のモノフィラメント。
【請求項１５】
前記芯も、請求項１から１０のいずれかに記載のポリエステル混合物からなることを特徴とする、請求項１１から１３のいずれかに記載のモノフィラメント。
【請求項１６】
前記芯は、５０／５０質量％から１０／９０質量％の混合比のポリマー混合物ＰＡ／ＰＡＴからなることを特徴とする、請求項１５に記載のモノフィラメント。
【請求項１７】
ＰＡ／ＰＡＴは、８０／２０質量％の比で前記外被に与えられ、２０／８０質量％の比で前記芯に与えられることを特徴とする、請求項７または９に記載のモノフィラメント。
【請求項１８】
前記２層の同時押出し材料の少なくとも１つの層は着色されて、他方の層との視覚的な違いを提供することを特徴とする、請求項１１から１７のいずれかに記載のモノフィラメント。
【請求項１９】
前記芯は、０．１ｍｍから５．０ｍｍの間の直径を有し、前記外被は、０．００１ｍｍから０．５ｍｍの間の厚みを有することを特徴とする、請求項１１から１８のいずれかに記載のモノフィラメント。
【請求項２０】
歯ブラシまたは化粧用ブラシのブラシ毛の芯は、０．１ｍｍから０．３ｍｍの間の直径を有し、外被は、０．００１ｍｍから０．００５ｍｍの間の厚みを有することを特徴とする、請求項１１から１９のいずれかに記載のモノフィラメント。
【請求項２１】
芯、外被およびエラストマーの外側の層を備えた３層の同時押出し材料からなることを特徴とする、請求項１１から２０のいずれかに記載のモノフィラメント。
【請求項２２】
前記芯は、中空の芯であることを特徴とする、請求項１１から２１のいずれかに記載のモノフィラメント。
【発明の詳細な説明】
【技術分野】
【０００１】
この発明は、使用中に大量の水分にさらされるブラシ毛のための熱可塑性モノフィラメントに関する。
【背景技術】
【０００２】
熱可塑性プラスチック材料のブラシ毛は、さまざまな種類のブラシ、塗料ばけ等に使用される。ブラッシング、塗装研磨、媒体の塗布等さまざまな機能を果たすために使用されること、および使用中または使用場所の直接的に影響を与える条件のため、それらはさまざまな物理的負荷および化学的負荷を受ける。これらの条件は、特に、洗剤、洗浄剤、化粧品、水等の補助剤の使用を含む。使用場所の周囲湿度が高い場合、水分の多い補助剤の乾燥は防がれる。
【０００３】
このため、ブラシ毛はこれらの非常にさまざまな要件を満たす特性を有さなければならない。これらのさまざまな要件を示す例が歯ブラシであり、この場合、ブラシ毛は、約０．０５ｍｍから０．４ｍｍの間の極めて小さな半径を有し、互いに少し離れて配置され、密に束ねられる。歯ブラシのブラシ毛は、純粋な弾性範囲内で曲がり、変形することなく最初の位置に戻ることができるように（曲げ回復）、優れた曲げ特性を有さなければならない。複数の異なる動き、および歯を磨くために加えられる使用者によって異なる個々のさまざまな圧力のため、ブラシ毛は、逆の曲げ応力のもとで、優れた疲労強度を有し、かつ適切な使用期間中、長期的な安定性を有さなければならない。プラスチック材料は、特にブラシ毛をブラシの担体に取付けるために、機械的生産工程または熱生産工程でブラシ毛を処理できるように構成されなくてはならない。最後に、ブラシ毛の使用端部に丸みをつけて、過度な硬さ、端縁等でエナメルを破損したり、歯茎を傷つけることなく、十分にブラッシング作用を与えつつ、歯の表面および歯間の空間を保護できるようにしなければならない。
【０００４】
歯ブラシに必要とされる密集したブラシ毛の束、歯磨き、水等の使用される補助剤、および、たとえば、浴室などの使用場所の空気中の過度な水分のため、ブラシ毛は常に水分にさらされる。密集した毛の束および周囲条件のため、乾燥はゆっくりと進行する。
【０００５】
以前の天然のブラシ毛で既に認識されているように、過度の水分によってブラシ毛は弱くなる。そのような不良は、「湿気による破損」（ＵＳ  ２  ３０９  ０２１）と称された。天然のブラシ毛でのこの不良は、主に水洗いおよび洗浄プロセス中に天然の脂肪が失われることによるもので、この脂肪は、生存している動物で水をはじく役割を果たす。歯ブラシでのこのプロセスは、歯磨き剤とブラシ毛との間の加水分解反応、および歯の洗浄剤の研磨粒子によって、さらに促進される。天然ブラシ毛の表面を化学的に処理することによって、この「湿気による破損」を克服する努力が行なわれてきた。
【０００６】
上述の理由から、高品質の熱可塑性材料が利用可能になって初めて歯ブラシの天然繊維を合成プラスチック材料で置き換えることが可能であった。今日では、歯ブラシのブラシ毛は、もっぱら高品質ポリアミド、特にＰＡ６．１０または６．１２を使用している。そのような品質のポリアミドはそれ相応に高価であるが、これは、特にこれらの高品質ポリアミドが他の用途には高価すぎるためである。
【０００７】
高品質ポリアミドは優れた強度特性を有するが、大量の水分を吸収するため、その好ましい強度特性が損なわれる。このような強度の低下はブラシ毛の不良につながる。ブラシ毛の直径が小さいほど速く不良が起こるが、これは水分がブラシ毛の芯に急速に浸透するためである。今日では、歯ブラシは、たとえば、柔らかめ、普通または硬めなど、ブラシ毛の硬さに基づいて特徴付けられるが、これは主にブラシ毛の直径によって決定される。この特徴付けおよび部類分けは、ある期間使用されると水分の影響によって有効性を失う。水分によってバクテリアの成長が促進されるため、ブラシ毛の隙間に水分が吸収および保持されると、実際には実現不可能な長い乾燥時間を必要とするであろう重大な衛生的問題につながる。（U.S. News & World Report 12.10.87、８８ページ）。
【０００８】
他の多くの種類の熱可塑性モノフィラメントが、さまざまな種類のブラシ毛で繰返し試され、テストされてきた。特に、熱可塑性ポリエステルのブラシ毛は、逆の曲げ応力のもとで、同等の曲げ挙動および疲労強度を有するが、まだ歯ブラシ用には十分ではない。これは、ポリエステルのブラシ毛が硬く、結果として歯茎およびエナメルを傷つける危険があるためである。さらに、それらは、機械的な処理中、特に使用端部に丸みをつける間に裂けて稜線を形成する傾向がある。さらに、それらは汚れを拘束する傾向が強く、すなわち、歯ブラシをすすぐことによって洗浄するのが難しい。
【０００９】
同時押出しフィラメントは繊維技術から公知であり（ＥＰ  ０  ７６３  ６１１Ａ１）、これはポリエステルの芯およびポリアミドの外被からなる。しかしながら、そのような用途での要件は、ブラシ毛の要件とは異なる。歯ブラシ用の同時押出しモノフィラメントも公知であり（ＷＯ９７／１４８３０）、これはポリアミドの外被およびポリエステルの芯からなる。高品質ポリアミドのみが外被に使用される。低品質ポリアミドの外被を備えた変形例では、芯は、エラストマーであるコポリエーテルエステルからなるため、歯ブラシのブラシ毛の要件を満たさない。芯および異なる処理を施したポリ塩化ビニルから作られた外被を有する別の公知の複合構造（ＧＢ  ９８０  ８１４）についても同じことが言える。
【発明の開示】
【発明が解決しようとする課題】
【００１０】
この発明の根本的な目的は、特性を所望の機能的、技術的要件および使用中の周囲条件に最適に適合できるブラシ毛のためのモノフィラメントを低材料コストで提案することである。
【課題を解決するための手段】
【００１１】
この発明の目的は、ブラシ毛のための出発原料を形成する熱可塑性モノフィラメントを用いることで達成され、このモノフィラメントは、少なくとも１つのポリアミド（ＰＡ）および少なくとも１つの熱可塑性ポリエステル（ＰＥ）のポリマー混合物を含む。
【００１２】
正確な混合比（ＰＡ／ＰＥ）は、ブラシ毛の使用に関連する技術的、機能的特性、およびブラシ毛の機能に関連する使用場所での周囲条件によって選択される。
【発明を実施するための最良の形態】
【００１３】
ポリマー混合物（ポリマーブレンド）は、金属合金から公知であるような多相系をほぼ一定して形成する。混合された際のそれらの挙動は、たとえば、分解して単相系を形成する多くの低分子材料とは異なる。この理由は、ファンデルワース力双極子相互作用および水素の分子相互作用であり、この力は、混合相中の異なるポリマー間より類似の高分子に有効である。さらに、混合中の高分子のルーピングおよびエントロピーの増加の程度は、立体効果のため、低分子物質より高分子の場合に小さい。
【００１４】
熱可塑性ポリエステルおよびポリアミドのブレンドの場合、両方のポリマーの極性基は、混合特性にプラスの影響を与える。異なるセグメント長は、多相になりやすい傾向の基礎であり、この傾向は混合物にかかわる成分の技術的な物理的および化学的な特性が十分に強い結合力で維持される場合に望ましいが、これはＰＡ／ＰＥブレンドに当てはまる。これは、均一のブレンドとは異なり、混合相のＰＡ／ＰＥの形態は個々の成分の天然の結晶性をたいてい示すため、ブレンドを形成するポリマーのプラスの特性が維持されるという事実のためである。ＰＡ／ＰＥブレンドフィラメントの剛性は、純粋なポリエステルと比較して低いが、制動挙動に優れ、ナイロンに匹敵するか、またはそれ以上である。混合相は分散様特性を有するため、純粋な混合成分よりも衝撃強度が向上する。
【００１５】
熱可塑性モノフィラメントの押出し用のブレンドのポリマー部分は、ブラシ毛の要件に応じて最適に調整可能である。曲げ挙動および曲げ回復は、ブラシ毛の直径および長さに応じて、ならびにブラシ毛の正確な用途の種類（歯ブラシ、マッサージブラシ、ハンドブラシ、化粧用ブラシ、塗料ばけ等）に対応して調整可能である。さらに、使用される媒体（歯磨き剤、洗浄剤、水等）による、使用場所での主な物理的および化学的な条件、および主な周囲条件（乾燥した、または水分の多い雰囲気、ブラシ毛の束での水分の保持等）に応じて調整することも可能である。
【００１６】
混合比（ＰＡ／ＰＥ）は、混合相の安定性を大きく損なうことなく、大きな範囲内で変化させることができる。混合比ＰＡ／ＰＥは、たとえば、１０／９０質量％から９０／１０質量％の間で変化させることができ、２０／８０質量％から８０／２０質量％の間が好ましい。
【００１７】
極度に水分の多い条件での使用中の曲げ強度および耐久性が最も重要な要件である場合、ＰＡ部分を減らしてＰＥ部分が増やされる。適切なＰＡ部によって、乾燥状態での曲げ回復が向上する。反対に、極度に水分の多い周囲条件での曲げ回復は、ＰＡ部分が多いと損なわれるが、これはＰＡが多くの水を吸収するためである。ブラシ毛の滑り特質および洗浄効果（研磨挙動）が最も重要である場合、ＰＥ部分を減らしてＰＡ部分が増やされ、これは同時に、洗浄される表面およびその周囲（たとえばエナメル、歯茎）を保護する処置につながる。歯ブラシの要件を最もよく満たす最適の混合関係ＰＡ／ＰＥは、ＰＡ部分が１０質量％から３０質量％の間、ＰＥ部分が７０質量％から９０質量％の間である。
【００１８】
さらに、混合比は、使用場所での周囲条件を考慮して、ブラシ毛の幾何学的形状に応じて調整可能である。混合比のＰＥ部分が多くなるほど、ブラシ毛の断面は、薄い断面への水分の浸透を防ぎ、関連して曲げ挙動および曲げ回復が損なわれるのを防ぐため、小さくなる。
【００１９】
ブラシ毛の使用場所での水分の影響が強いほど、かつ／または持続的であるほど、ブラシ毛の幾何学的形状にかかわらず、ＰＡ部分を減らしてＰＥ部分を増やすことが有利である。しかしながら、ブラシによる水分の吸収は、液体の塗布媒体のブラシ毛への結合を向上し、用途によって望ましい場合があることから、この提言は絶対に必須であるわけではない。
【００２０】
熱可塑性ポリエステルは、ポリアルキレンテレフタレート（ＰＡＴ）であることが好ましく、特に、ポリエチレンテレフタレート（ＰＥＴ）またはポリブチレンテレフタレート（ＰＢＴ）もしくはその混合物が使用可能である。
【００２１】
これら熱可塑性ポリエステルは特にブラシ毛に好適であるが、これは技術的な特性のためだけでなく、今まで歯ブラシのブラシ毛に使用されてきた、たとえば、ＰＡ６．１２などのポリアミドよりも安価であるためでもある。
【００２２】
ＰＡＴ部分が多いと、低品質かつ低価格のＰＡ、たとえば、ＰＡ６で、少なくとも部分的に高品質ＰＡを置き換えることも可能である。
【００２３】
混合物のポリアミド成分は、たとえば、ＰＡ６．１０、ＰＡ６．１２、ＰＡ１１、ＰＡ１２などの高品質ポリアミドのグループ、およびＰＡ６、ＰＡ６．６などの低品質ポリアミドのグループから選択可能であり、混合相は十分な安定性を有さなければならないということが考慮される。
【００２４】
この発明は、使用中に極度の水分にさらされるブラシ毛のための少なくとも２層の同時押出し材料の形の熱可塑性モノフィラメントにも関する。そのような同時押出し材料では、少なくとも１つの層が上述の成分のポリマー混合物からなる。
【００２５】
同時押出し材料の２つの層は同心であり、すなわち、芯および外被である。またはこれに代えて、同時押出し材料は、モノフィラメントの外側の断面を規定する第２の層に埋込まれたいくつかのモノフィラメントを含んでもよい。さらに、同時押出し材料は、周囲の一部分のみを規定する芯からなり、第２の層が周囲を満たすセグメントを形成してもよく、すなわち、主に１つの層によって形成される実質的に長方形の断面を有し、他方の層は角のみを形成してもよい。
【００２６】
同時押出し材料の正確な幾何学的形状にかかわらず、１つの層はこの発明の種類のポリマー混合物から形成され、第２の層は、単一のポリアミドまたはポリアミド混合物からなってもよく、またはその逆であってもよい。第２の層は、そのようなポリエステル混合物の熱可塑性ポリエステルで形成されてもよい。
【００２７】
同時押出し材料が芯および外被からなる場合、芯はＰＡＴ、またはポリアルキレンエステルの混合物からなることが好ましく、外被はポリアミドまたはポリアミド混合物から形成されるのが好ましい。
【００２８】
歯ブラシのブラシ毛の場合、芯は実質的に曲げ挙動および曲げ回復を決定し、外被は実質的にブラッシング効果をもたらし、塗布媒体または洗浄媒体を分散させる。そのようなブラシ毛の外被は、より多くの量の水を吸収するが、このことは水分特性にはほとんど、または全く影響しない。これは、水分特性は、水分の吸収がかなり低い芯によって主に決定されるためである。
【００２９】
直接的にブラッシング作用にかかわらないため、芯は、１つの熱可塑性ポリエステルまたはポリエステル混合物から作られ、外被はこの発明のポリマー混合物を有してもよい。この発明のポリマー混合物は、芯および外被にも存在してもよく、芯のＰＥまたはＰＡＴ部分および外被のＰＡ部分は増やすことができる。
【００３０】
この発明のポリマー混合物のすばらしい剛性特性により、この混合物からなる芯が、ポリマー、特にＰＡまたはＰＡ混合物で作られた外被に覆われる構造が可能である。このことによって、外被に異なる色をつけることが可能となるが、これはＰＥおよびＰＥ混合物では限られている。一方、たとえば、ポリアミドでは着色が特に容易である。この材料の組合せにより、外被を極めて薄くすることも可能である。用途によって、ブラシ毛の直径は、粗いブラシ、たとえば、道路用ブラシ用の５．０ｍｍから、歯ブラシ、化粧用ブラシ等用の０．１ｍｍの間で変化し得る。０．５ｍｍから５．０ｍｍの間の半径を有するブラシ毛の場合、外被の厚みは、０．０１ｍｍから０．５ｍｍの間であり得る。０．１ｍｍから０．３ｍｍの範囲の直径を有する歯ブラシ用ブラシ毛の場合、外被の厚みは、１０μから５０μの間であり得る。このことによって、摩耗の表示を行なうことが可能である。摩耗の表示では、使用期間が長くなるにつれ、着色された外被が取除かれ、着色されていないか、または異なる色をつけられた芯が露出されて、使用者に摩耗の程度が示される。
【００３１】
安定性を決定するこの発明のポリマー混合物の特性によって、たとえば、ＰＡＴまたはＰＡＴ混合物を含む芯、この発明のポリマー混合物の中間層、およびエラストマーまたはエラストマーブレンドの外側の層を備えた３層の同時押出し材料構造が可能となる。この場合、中心の層のポリエステル部分への親和性のため、特にコポリエーテルエステルが推奨される。さらにこの場合、外側の使用層によって、ブラッシング、洗浄、マッサージまたは媒体の塗布のための要件を満たす最適な条件が得られる。
【００３２】
最後に、芯を中空の芯として形成して、媒体を吸収し、ブラシ毛の自由端でそれらを解放することも可能である。
【００３３】
外被がこの発明のポリマー混合物、またはＰＡもしくはＰＡ混合物からなる場合、芯および外被からなるブラシ毛の端部を機械的に処理して、品質を向上し、特に、端縁を形成せずに完璧に丸みをつけることができる。
【国際公開パンフレット】
2004523674.tif 000002
2004523674.tif 000003
2004523674.tif 000004
2004523674.tif 000005
2004523674.tif 000006
2004523674.tif 000007
2004523674.tif 000008
2004523674.tif 000009
2004523674.tif 000010
2004523674.tif 000011
2004523674.tif 000012
2004523674.tif 000013
2004523674.tif 000014
2004523674.tif 000015
2004523674.tif 000016
2004523674.tif 000017
【手続補正書】
【提出日】平成15年9月26日(2003.9.26)
【手続補正１】
【補正対象書類名】特許請求の範囲
【補正対象項目名】全文
【補正方法】変更
【補正の内容】
【特許請求の範囲】
【請求項１】
使用中に過度の水分にさらされるブラシ毛のための熱可塑性モノフィラメントであって、前記モノフィラメントは、少なくとも１つのポリアミド（ＰＡ）および少なくとも１つの熱可塑性ポリエステル（ＰＥ）のポリマー混合物を含み、混合比ＰＡ／ＰＥは、１０質量％から３０質量％のＰＡの部分および７０質量％から９０質量％のＰＥの部分を有することを特徴とする、モノフィラメント。
【請求項２】
混合比ＰＡ／ＰＥは、ブラシ毛の使用についての技術的、機能的な特性、およびブラシ毛の機能に影響する使用場所での周囲条件によって選択されることを特徴とする、請求項１に記載のモノフィラメント。
【請求項３】
前記混合比ＰＡ／ＰＥのＰＥの部分が多いほど、ブラシ毛の断面は小さいことを特徴とする、請求項１または２に記載のモノフィラメント。
【請求項４】
前記ブラシ毛の使用場所での水分の影響が強いほど、かつ／または持続的であるほど、前記混合比ＰＡ／ＰＥの前記ＰＥの部分が多いことを特徴とする、請求項１から３のいずれかに記載のモノフィラメント。
【請求項５】
前記熱可塑性ポリエステルは、ポリアルキレンテレフタレート（ＰＡＴ）であることを特徴とする、請求項１に記載のモノフィラメント。
【請求項６】
前記熱可塑性ポリエステルは、ポリエチレンテレフタレート（ＰＥＴ）またはポリブチレンテレフタレート（ＰＢＴ）もしくはその混合物であることを特徴とする、請求項１に記載のモノフィラメント。
【請求項７】
前記ポリアミド（ＰＡ）は、高品質ポリアミドおよび低品質ポリアミドの混合物であることを特徴とする、請求項１から６のいずれかに記載のモノフィラメント。
【請求項８】
前記混合物のポリアミドの成分は、ＰＡ６．１０、ＰＡ６．１２、ＰＡ１１およびＰＡ１２のグループから選択され、かつＰＡ６、ＰＡ６．６のグループから選択されることを特徴とする、請求項１から７のいずれかに記載のモノフィラメント。
【請求項９】
使用中に大量の水分にさらされるブラシ毛のための少なくとも２層の同時押出し材料の形の熱可塑性モノフィラメントであって、前記同時押出し材料は、芯および外被を有し、少なくとも前記外被は、少なくとも１つのポリアミド（ＰＡ）および少なくとも１つの熱可塑性ポリエステル（ＰＥ）を含むポリマー混合物から作られ、混合比ＰＡ／ＰＥは、１０質量％から３０質量％のＰＡの部分、および７０質量％から９０質量％のＰＥの部分を有することを特徴とする、モノフィラメント。
【請求項１０】
前記芯は、ポリアミド、または高品質ポリアミドおよび低品質ポリアミドの混合物であることを特徴とする、請求項９に記載のモノフィラメント。
【請求項１１】
前記混合物のポリアミド成分は、ＰＡ６．１０、ＰＡ６．１２、ＰＡ１１、ＰＡ１２のグループから、およびＰＡ６、ＰＡ６．６のグループから選択されることを特徴とする、請求項１０に記載のモノフィラメント。
【請求項１２】
前記芯は、請求項５または６に記載の熱可塑性ポリエステル、またはそのようなポリエステルの混合物からなることを特徴とする、請求項９に記載のモノフィラメント。
【請求項１３】
前記芯は、純粋なＰＡＴ、またはポリアルキレンエステルの混合物からなることを特徴とする、請求項９から１２のいずれかに記載のモノフィラメント。
【請求項１４】
前記芯も、混合比ＰＡ／ＰＥが１０質量％から３０質量％のＰＡの部分および７０質量％から９０質量％のＰＥの部分を有するポリマー混合物から作られることを特徴とする、請求項９から１２のいずれかに記載のモノフィラメント。
【請求項１５】
前記２層の同時押出し材料の少なくとも１つの層は着色されて、他方の層との視覚的な違いを提供することを特徴とする、請求項９から１４のいずれかに記載のモノフィラメント。
【請求項１６】
前記芯は、０．１ｍｍから５．０ｍｍの間の直径を有し、前記外被は、０．００１ｍｍから０．５ｍｍの間の厚みを有することを特徴とする、請求項９から１５のいずれかに記載のモノフィラメント。
【請求項１７】
歯ブラシまたは化粧用ブラシのブラシ毛の芯は、０．１ｍｍから０．３ｍｍの間の直径を有し、外被は、０．００１ｍｍから０．００５ｍｍの間の厚みを有することを特徴とする、請求項９から１６のいずれかに記載のモノフィラメント。
【請求項１８】
芯、外被およびエラストマーの外側の層を備えた３層の同時押出し材料からなることを特徴とする、請求項９から１７のいずれかに記載のモノフィラメント。
【請求項１９】
前記芯は、中空の芯であることを特徴とする、請求項９から１８のいずれかに記載のモノフィラメント。
【国際調査報告】
2004523674.tif 000018
2004523674.tif 000019
2004523674.tif 000020
2004523674.tif 000021